(57)【要約】本発明は、グラフィックコードによる電子値札の位置更新方法を提供する。当該方法は、複数種類の商品を商品棚に配置し、電子値札画面を商品の下方の商品棚上に取り付けるステップ１と、電子値札画面に、同じ間隔で少なくともｎ個の位置グラフィックコードを表示するステップ２と、スーパーマーケットの商品整理担当が、１回目のスキャンを行い、商品情報をサーバに送信するステップ３と、スーパーマーケットの商品整理担当が、２回目のコードスキャンを行い、商品の位置を確認するステップ４と、サーバから互いに異なる寸法情報を有する複数の寸法グラフィックコードをステップ４で規定された位置グラフィックコードの所在位置に送信するステップ５と、スーパーマーケットの商品整理担当が、最適寸法を有する寸法グラフィックコードを選択して３回目のコードスキャンを行うステップ６と、サーバが商品タグを生成するステップ７とを含む。本発明により、電子値札の使用数量が減少され、作業時間が短縮され、電子値札のコストも大幅に削減され、スーパーマーケットの人員が削減される。
2019500657.tif 000002
【特許請求の範囲】
【請求項１】
商品情報グラフィックコードが包装に貼り付けられたｎ（ｎ≧１）種類の商品を商品棚に配置するステップであって、同種類の複数の商品を連続して配置し、各種類の商品が占有する商品棚の長さは順にｌ1、ｌ2、…、ｌnであり、長さがｄ＝ｌ1＋ｌ2＋…＋ｌnである電子値札画面を商品の下方の商品棚上に取り付けるステップ１と、
少なくともｎ個の位置グラフィックコードを、同じ間隔で電子値札画面に表示させるステップ２と、
スーパーマーケットの商品整理担当が第ｘ（ｘ＝１，２，…，ｎ）種類の商品包装上の商品情報グラフィックコードをスキャンする１回目のコードスキャンを行うことによって、商品情報をサーバに送信するステップ３と、
第ｘ種類の商品が占有する商品棚の長さがｌxであるとき、スーパーマーケットの商品整理担当が、第ｘ種類の商品の位置を確認し、所在位置がｌx／２と最も近い位置グラフィックコードをスキャンする２回目のコードスキャンを行うことによって、当該位置情報をサーバに送信するステップ４と、
サーバが位置情報を受信した後に、互いに異なる寸法情報を有する複数の寸法グラフィックコードを前記ステップ４で規定された位置グラフィックコードの所在位置に送信するステップ５と、
スーパーマーケットの商品整理担当が、前記ステップ１における第ｘ種類の商品が占有する商品棚の長さｌxに基づいて、前記ステップ５における複数の寸法グラフィックコードの中から最適な寸法を有する寸法グラフィックコードを選択して３回目のコードスキャンを行うことによって、寸法情報をサーバに送信するステップ６と、
サーバが、商品情報及び寸法情報に基づいて商品タグを生成し、且つ商品タグを前記ステップ４で規定された位置に送信し、電子値札画面に表示させるステップ７とを含むことを特徴とするグラフィックコードによる電子値札の位置更新方法。
【請求項２】
前記電子値札画面は、長さが３００ｍｍ〜４００ｍｍであり、幅が２５ｍｍ〜３５ｍｍであることを特徴とする請求項１に記載のグラフィックコードによる電子値札の位置更新方法。
【請求項３】
前記ステップ５において、サーバは、“大”、“中”、“小”と表示されている３本の寸法グラフィックコードを前記ステップ４で規定された位置に転送し、前記ステップ６において、スーパーマーケットの商品整理担当が“大”と表示されている寸法グラフィックコードを選択してコードスキャンを行う場合は、前記ステップ７において長さが１４．５７ｃｍの電子値札が生成され、前記ステップ６において、スーパーマーケットの商品整理担当が“中”と表示されている寸法グラフィックコードを選択してコードスキャンを行う場合は、前記ステップ７において長さが９．６７ｃｍの電子値札が生成され、前記ステップ６において、スーパーマーケットの商品整理担当が“小”と表示されている寸法グラフィックコードを選択してコードスキャンを行う場合は、前記ステップ７において、長さが５．１３ｃｍの電子値札が生成されることを特徴とする請求項１に記載のグラフィックコードによる電子値札の位置更新方法。
【請求項４】
前記グラフィックコードは、バーコード又はＱＲコードであることを特徴とする請求項１に記載のグラフィックコードによる電子値札の位置更新方法。
【発明の詳細な説明】
【技術分野】
【０００１】
本発明は、電子ペーパー表示分野に関し、特にグラフィックコードによる電子値札の位置更新方法に関する。
【背景技術】
【０００２】
従来の電子値札は、長さが約３０〜８０ｍｍであり、幅が約３０〜４０ｍｍであり、単一の電子値札が単一の商品に対応する。電子値札が対応する商品の下方に配置された後に、スーパーマーケットの商品整理担当は、まず、商品のグラフィックコードをスキャンし、商品情報をサーバに送信し、次に、商品の下方にある電子値札の価格情報グラフィックコードをスキャンしてサーバに送信する。商品価格情報は、サーバから電子値札に転送されて表示される。電子値札の寸法は固定され、任意に変更することができない。
【０００３】
上記の内容においては、電子値札画面の使用数量が多いため、寸法が小さい複数の関連している電子値札の代わりに寸法が大きい電子値札を用いることが便利である。しかしながら、その場合には電子値札内での位置が特定されないため、商品情報を表示することのみに限られ、商品ごとに表示することができず、実際面での使用が不可能である。
【発明の概要】
【発明が解決しようとする課題】
【０００４】
従来技術の欠陥に鑑み、本発明は、グラフィックコードによる電子値札の位置更新方法を提供する。
【課題を解決するための手段】
【０００５】
本発明に係る技術的解決手段は、以下の通りである。
【０００６】
グラフィックコードによる電子値札の位置更新方法は、以下のステップを含む。
【０００７】
ステップ１、ｎ（ｎ≧１）種類の商品を商品棚に配置する。商品の包装には、商品情報グラフィックコードが貼り付けられている。同種類の複数の商品が連続して配置される。各種類の商品が占有する商品棚の長さは順にｌ1、ｌ2、…、ｌnである。電子値札画面を商品の下方の商品棚上に取り付ける。電子値札画面の長さは、ｄ＝ｌ1＋ｌ2＋…＋ｌnである。
【０００８】
ステップ２、電子値札画面に、同じ間隔で少なくともｎ個の位置グラフィックコードを表示させる。
【０００９】
ステップ３、スーパーマーケットの商品整理担当が、１回目のコードスキャンを行う。即ち、第ｘ（ｘ＝１，２，…，ｎ）種類の商品包装上の商品情報グラフィックコードをスキャンし、商品情報をサーバに送信する。
【００１０】
ステップ４、第ｘ種類の商品が占有する商品棚の長さがｌxであるとして、スーパーマーケットの商品整理担当は、２回目のコードスキャンを行う。即ち、第ｘ種類の商品の位置を確認し、所在位置がｌx／２と最も近い位置グラフィックコードをスキャンすることによって、当該位置情報をサーバに送信する。
【００１１】
ステップ５、サーバが位置情報を受信した後、互いに異なる寸法情報を有する複数の寸法グラフィックコードをステップ４で規定された位置グラフィックコードの所在位置に送信する。
【００１２】
ステップ６、スーパーマーケットの商品整理担当は、ステップ１における第ｘ種類の商品が占有する商品棚の長さｌxに基づいて、ステップ５における複数の寸法グラフィックコードの中から最適な寸法を有する寸法グラフィックコードを選択して３回目のコードスキャンを行い、寸法情報をサーバに送信する。
【００１３】
ステップ７、サーバは、商品情報及び寸法情報に基づいて商品タグを生成し、且つ商品タグをステップ４で規定された位置に送信し、電子値札画面に表示させる。
【００１４】
好ましい技術的解決手段として、前記電子値札画面は、長さが３００ｍｍ〜４００ｍｍであり、幅が２５ｍｍ〜３５ｍｍである。
【００１５】
好ましい技術的解決手段として、前記ステップ５において、サーバは、“大”、“中”、“小”と表示されている３本の寸法グラフィックコードをステップ４で規定された位置に転送する。ステップ６において、スーパーマーケットの商品整理担当が“大”と表示されている寸法グラフィックコードを選択してコードスキャンを行う場合は、ステップ７において長さが１４．５７ｃｍの電子値札が生成される。ステップ６において、スーパーマーケットの商品整理担当が“中”と表示されている寸法グラフィックコードを選択してコードスキャンを行う場合は、ステップ７において長さが９．６７ｃｍの電子値札が生成される。ステップ６において、スーパーマーケットの商品整理担当が“小”と表示されている寸法グラフィックコードを選択してコードスキャンを行う場合は、ステップ７において長さが５．１３ｃｍの電子値札が生成される。
【００１６】
好ましい技術的解決手段として、前記グラフィックコードは、バーコード又はＱＲコードである。
【発明の効果】
【００１７】
本発明の有益な効果として、電子値札の使用数量が減少する。店員がそれぞれの商品に対応して複数の電子値札画面を取り付ける必要がなく、寸法が比較的大きい１つの電子値札画面のみを商品棚に取り付ければ足り、作業時間が短縮され、電子値札のコストも大幅に削減され、スーパーマーケットの人員が削減される。
【００１８】
複数の関連している商品情報が同時に変更された場合、サーバは、１つの表示画面にデータを転送するだけで、複数の商品情報を同時に変更することができ、転送速度が迅速であり、商品情報を同時に更新する速度が向上する。
【００１９】
本発明は、スーパーマーケット、コンビニエンスストア、薬局、化粧品店等の小売業界で使用可能であり、実用性が高い。本発明は、様々なバーコード若しくはＱＲコード、又は他の形式のグラフィックコードの表示に用いられる。
【図面の簡単な説明】
【００２０】
【図１】２回目のコードスキャンの概略図である。
【図２】３回目のコードスキャンの概略図である。
【図３】商品タグが電子値札画面に表示されている概略図である。
【図４】本発明の使用効果の概略図である。
【発明を実施するための形態】
【００２１】
本実施形態では、グラフィックコードは、具体的にバーコードである。本発明に係る技術的手段は、ＱＲコードにも適用される。
【００２２】
本発明は、以下のステップを含む。
【００２３】
ステップ１、商品情報グラフィックコードが包装に貼り付けられたｎ（ｎ≧１）種類の商品を、商品棚の同一の段に配置する。同種類の複数の商品が連続して配置される。各種類の商品が占有する商品棚の長さは順にｌ1、ｌ2、…、ｌnである。電子値札画面を商品の下方の商品棚上に取り付ける。電子値札画面の長さは、ｄ＝ｌ1＋ｌ2＋…＋ｌnである。即ち、電子値札の長さは、当該一段のすべての商品をカバーすることができる。電子値札画面は通常、長さが３００ｍｍ〜４００ｍｍであり、幅が２５ｍｍ〜３５ｍｍである。
【００２４】
ステップ２、電子値札画面に、同じ間隔で複数の位置グラフィックコードを表示させる。具体的な間隔は、ニーズに応じて設定すればよく、例えば、隣接する位置グラフィックコードの間の距離を１０ｃｍと設定してよい。
【００２５】
ステップ３、スーパーマーケットの商品整理担当は、１回目のコードスキャンを行う。即ち、第ｘ（ｘ＝１，２，…，ｎ）種類の商品包装上の商品情報グラフィックコードをスキャンし、商品情報をサーバに送信する。
【００２６】
ステップ４、第ｘ種類の商品が占有する商品棚の長さがｌxであるとして、スーパーマーケットの商品整理担当は、２回目のコードスキャンを行う。即ち、第ｘ種類の商品の位置を確認し、所在位置がｌx／２と最も近い位置グラフィックコードをスキャンし、当該位置情報をサーバに送信する。図１は、２回目のコードスキャンの概略図である。図１を参照されたい。図１において破線枠で囲まれているのは、当該一連のコードスキャンにおける２回目のコードスキャンによってスキャンされた位置グラフィックコードである。ステップ４において、スキャンするのは、当該種類の商品が占有する位置の中央の位置グラフィックコードである。また、図１から複数の位置グラフィックコードの配置状態が確認される。
【００２７】
ステップ５、サーバが位置情報を受信した後に、互いに異なる寸法情報を有する複数の寸法グラフィックコードをステップ４で規定された位置グラフィックコードの所在位置に送信する。
【００２８】
本実施形態において、サーバは、“大”、“中”、“小”と表示されている３本の寸法グラフィックコードを、ステップ４で規定された位置に転送する。
【００２９】
ステップ６、スーパーマーケットの商品整理担当は、ステップ１における第ｘ種類の商品が占有する商品棚の長さｌxに基づいて、ステップ５における複数の寸法グラフィックコードの中から最適な寸法を有する寸法グラフィックコードを選択して３回目のコードスキャンを行い、寸法情報をサーバに送信する。図２は、３回目のコードスキャンの概略図である。図２において、左側の破線枠内は、ステップ５に記載の３つの寸法グラフィックコードであり、３つのバーコードは、それぞれ異なる寸法の商品タグに対応する。当該ステップは、３つの寸法グラフィックコードの１つを選択してスキャンを行うものである。具体的には、商品の配置の長さに基づいて商品タグの大きさを確認すればよい。商品の配置が短い場合は、寸法の小さい寸法グラフィックコードを選択してスキャンし、寸法の小さい商品タグを生成すればよい。商品の配置が長い場合は、寸法の大きい寸法グラフィックコードを選択すればよい。
【００３０】
ステップ７、サーバは、商品情報及び寸法情報に基づいて商品タグを生成し、且つ商品タグをステップ４で規定された位置に送信し、電子値札画面に表示させる。図３は、商品タグが電子値札画面に表示されている概略図である。
【００３１】
商品タグの具体的な寸法は、ニーズに応じて設定されてよい。本実施形態において、ステップ６において、スーパーマーケットの商品整理担当が“大”と表示されている寸法グラフィックコードを選択してコードスキャンを行う場合は、ステップ７において長さが１４．５７ｃｍの電子値札が生成される。ステップ６において、スーパーマーケットの商品整理担当が“中”と表示されている寸法グラフィックコードを選択してコードスキャンを行う場合は、ステップ７において長さが９．６７ｃｍの電子値札が生成される。ステップ６において、スーパーマーケットの商品整理担当が“小”と表示されている寸法グラフィックコードを選択してコードスキャンを行う場合は、ステップ７において長さが５．１３ｃｍの電子値札が生成される。
【００３２】
図４は、本発明の使用効果の概略図である。本発明の最終表示効果として、図４に示すように、配置の長さが異なる商品ごとに、対応する長さ寸法を有する商品タグを生成することができ、商品タグの表示位置は、商品の配置位置の中央に位置する。
【００３３】
上記内容は、本発明の好ましい実施形態にすぎない。本発明は、上記の実施形態に限定されない。当業者が本発明の精神及び思想から逸脱しない限り、直接に導出又は連想した他の改良及び変更のすべては、本発明による保護範囲内に含まれるべきである。
【図１】
2019500657.tif 000003
【図２】
2019500657.tif 000004
【図３】
2019500657.tif 000005
【図４】
2019500657.tif 000006
【国際調査報告】
2019500657.tif 000007
2019500657.tif 000008
2019500657.tif 000009
2019500657.tif 000010